(57)【要約】【課題】一切の工具を使用せずに指先操作による施錠,解錠を可能とすることで、該遊技盤を手早く容易に着脱できるようにする。【解決手段】施錠装置Ｈは、セット保持枠１２に開設されたセット口１３内周に臨む所定位置に設けられた保持部４０と、この保持部４０に対して着脱可能に嵌合セットされて回転可能に支持される施錠具５５とから構成される。保持部４０では、遊技盤の係合部裏側を係止し得る係止部４１と軸孔口部４２とを形成する。施錠具５５では、保持部４０の軸孔口部４２に回動可能に嵌合支持される軸部５６の後側に、係止部４１に支持される回動支盤５７を一体に形成すると共に、軸部５６の前側に、保持部４０の前側に係止し得る係止部５８と、指先操作可能な操作部５９と、遊技盤の前側に弾性的に係合し得る係合部６０とを一体に形成する。【選択図】図４
2004024908.tif 000002
【特許請求の範囲】
【請求項１】
　外枠に組付けられる前枠の窓口裏側に位置するセット保持枠のセット口に対して、遊技盤が前側より着脱交換可能にセットされたパチンコ遊技機にあって、
　前記セット保持枠に開設されたセット口内周に臨む所定位置に設けられた保持部と、この保持部に対して着脱可能に嵌合セットされて回転可能に支持される施錠具とを備え、
　前記保持部では、前記セット口内にセットされた前記遊技盤の係合部裏側を係止し得る係止部と軸孔口部とを形成し、
　前記施錠具では、前記保持部の軸孔口部に回動可能に嵌合支持される軸部の後側に、前記係止部に支持される回動支盤を一体に形成すると共に、軸部の前側に、前記保持部の前側に係止し得ると共に先端面に六角形の操作孔が形成されるボス状の係止部と、指先を掛けて回動操作をなすことが可能な操作部と、前記遊技盤の係合部前側に弾性的に係合し得る係合部とを一体に形成し、
　前記操作部は、前記軸部の軸方向と直交方向に延在する摘み状を呈し、その長手方向の中央端面とボス状の前記係止部の円筒面とが連設され、
　前記係合部は、前記操作部において、前記係止部に連接した端面とは反対の端面に形成され、その中央部に前記回動支盤側へ突出した係合突起を有している
ことを特徴とするパチンコ遊技機における遊技盤用の施錠装置。
【請求項２】
　外枠に組付けられる前枠の窓口裏側に位置するセット保持枠のセット口に対して、遊技盤が前側より着脱交換可能にセットされたパチンコ遊技機にあって、
　前記セット保持枠に開設されたセット口内周に臨む所定位置に設けられた保持部と、この保持部に対して着脱可能に嵌合セットされて回転可能に支持される施錠具とを備え、
　前記保持部では、前記セット口内にセットされた前記遊技盤の係合部裏側を係止し得る係止部と軸孔口部とを形成し、
　前記施錠具では、前記保持部の軸孔口部に回動可能に嵌合支持される軸部の後側に、前記係止部に支持される回動支盤を一体に形成すると共に、軸部の前側に、前記保持部の前側に係止し得ると共に先端面に六角形の操作孔が形成されるボス状の係止部と、指先を掛けて回動操作をなすことが可能な操作部と、前記遊技盤の係合部前側に弾性的に係合し得る係合部とを一体に形成し、
　前記操作部は、前記軸部の軸方向と直交方向に延在する摘み状を呈し、その長手方向の中央端面に前記操作孔の一部をなす凹部が形成され、該中央端面と前記係止部の円筒面とが連設されている
ことを特徴とするパチンコ遊技機における遊技盤用の施錠装置。
【発明の詳細な説明】
【技術分野】
【０００１】
　この発明は、パチンコ遊技機における遊技盤用の施錠装置に関し、更に詳細には、前枠の窓口裏側に位置するセット保持枠のセット口に対して、遊技盤が前側より着脱交換可能にセットされるパチンコ遊技機において、前記遊技盤をセット保持枠に固定保持するための施錠装置に関するものである。
【背景技術】
【０００２】
　パチンコ機に代表されるこの種の遊技機では、機体をなす外枠に対して着脱および開閉自在に組付けられる前枠に、各種の遊技構成部材が集約的に搭載されている。例えば、遊技構成部材の一つである遊技盤に関しては、前枠の窓口裏側に位置するセット保持枠のセット口に対し、遊技面を前側に指向させた状態でセットされる。ここで、遊技盤のセット形態をもとに遊技機を分類すると、前記前枠前面の窓構成部材(ガラス扉)を開放したもとで前面側から着脱するよう構成したタイプ(遊技盤前側着脱タイプ)と、外枠から開放された前枠裏側の裏機構盤を開放または取外したもとで裏面側から着脱するよう構成したタイプ(遊技盤裏側脱着タイプ)とに大別される。
【０００３】
　そして、前述した何れのタイプの遊技機にあっても、セット保持枠のセット口内の正面側にセットした遊技盤が、該セット口内でがたつきの無い状態に収容して適正に固定し得ることが何よりも肝要とされている。従って、例えば前記セット口の内周囲に施錠装置(係合保持部品)を設け、セット口にセットした遊技盤に対して各施錠装置を係合操作または解除操作することを前提として、遊技盤を簡単かつ楽な操作で手早く容易に着脱できることが強く要望されている。
【０００４】
　しかるに従来のパチンコ遊技機にあっては、前述した技術的な要望事項が充分満足に具備されず、また奏し得るとは言い難い面があった。すなわち、遊技盤に対する前記施錠装置は主として合成樹脂製または金属製のものが利用されており、何れについても一般に当該セット保持枠におけるセット口内の両側上下部に配設されている。しかしこの施錠装置については、前枠の裏側から操作できる形式とされているため、遊技盤の着脱および交換に当り、装置自体の係合および解除の操作に際しては、前枠をその都度開放しなければならない煩わしさを伴う。殊に、前述した遊技盤前側着脱タイプのものでは、係合保持手段の形式に制約されて前側着脱に係る優位性が充分活かされない問題があった。
【０００５】
　そこで、遊技盤前側着脱タイプでは、前述した不都合を回避するために、前枠前面側からの施錠操作および解錠操作をなし得る施錠装置が新たに提案され(例えば、特許文献１参照)、遊技盤の着脱作業の容易化を図り、前側着脱に係る優位性が活かされるに至った。
【特許文献１】特開平９−２９００４８号公報
【発明の開示】
【発明が解決しようとする課題】
【０００６】
　しかるに前記施錠装置では、遊技盤に対する施錠および解錠が回動変位に基いて行なうようになっているが、この回動操作には六角レンチ等の工具を使用することを前提として設計されていた。しかし、前記工具を使用した前枠前面側からの施錠操作,解錠操作は、案外面倒で煩わしさを伴う作業であった。しかも、万一前記工具を持ち合わせていない場合には、指先による施錠操作,解錠操作が不可能であるから遊技盤を着脱することができず、遊技盤の着脱に係る合理化には未だ課題を内在していた。
【０００７】
　すなわち本発明は、前述した課題を好適に解決するべく提案されたものであって、前枠自体の開放を不要とした前提において、前枠裏側に位置するセット保持枠のセット口内に対して前枠前面側からセットされる遊技盤を、一切の工具を使用せずに指先操作による施錠,解錠を可能とすることで、該遊技盤を手早く容易に着脱でき、かつ操作孔に対応の回動操作器具を係合して施錠具を回動操作することでも遊技盤の施錠,解錠を行ない得るようにしたパチンコ遊技機における遊技盤用の施錠装置を提供することを目的とする。
【課題を解決するための手段】
【０００８】
　前記課題を克服し、所期の目的を好適に達成するため、本発明に係るパチンコ遊技機における遊技盤用の施錠装置は、
　外枠(A)に組付けられる前枠(B)の窓口(11)裏側に位置するセット保持枠(12)のセット口(13)に対して、遊技盤(D)が前側より着脱交換可能にセットされたパチンコ遊技機にあって、
　前記セット保持枠(12)に開設されたセット口(13)内周に臨む所定位置に設けられた保持部(40)と、この保持部(40)に対して着脱可能に嵌合セットされて回転可能に支持される施錠具(55)とを備え、
　前記保持部(40)では、前記セット口(13)内にセットされた前記遊技盤(D)の係合部(32)裏側を係止し得る係止部(41)と軸孔口部(42)とを形成し、
　前記施錠具(55)では、前記保持部(40)の軸孔口部(42)に回動可能に嵌合支持される軸部(56)の後側に、前記係止部(41)に支持される回動支盤(57)を一体に形成すると共に、軸部(56)の前側に、前記保持部(40)の前側に係止し得ると共に先端面に六角形の操作孔(61)が形成されるボス状の係止部(58)と、指先を掛けて回動操作をなすことが可能な操作部(59)と、前記遊技盤(D)の係合部(32)前側に弾性的に係合し得る係合部(60)とを一体に形成し、
　前記操作部(59)は、前記軸部(56)の軸方向と直交方向に延在する摘み状を呈し、その長手方向の中央端面とボス状の前記係止部(58)の円筒面とが連設され、
　前記係合部(60)は、前記操作部(59)において、前記係止部(58)に連接した端面とは反対の端面に形成され、その中央部に前記回動支盤(57)側へ突出した係合突起(62)を有していることを特徴とする。
【０００９】
　また前記課題を克服し、所期の目的を好適に達成するため、本願の別の発明に係るパチンコ遊技機における遊技盤用の施錠装置は、
　外枠(A)に組付けられる前枠(B)の窓口(11)裏側に位置するセット保持枠(12)のセット口(13)に対して、遊技盤(D)が前側より着脱交換可能にセットされたパチンコ遊技機にあって、
　前記セット保持枠(12)に開設されたセット口(13)内周に臨む所定位置に設けられた保持部(40)と、この保持部(40)に対して着脱可能に嵌合セットされて回転可能に支持される施錠具(55)とを備え、
　前記保持部(40)では、前記セット口(13)内にセットされた前記遊技盤(D)の係合部(32)裏側を係止し得る係止部(41)と軸孔口部(42)とを形成し、
　前記施錠具(55)では、前記保持部(40)の軸孔口部(42)に回動可能に嵌合支持される軸部(56)の後側に、前記係止部(41)に支持される回動支盤(57)を一体に形成すると共に、軸部(56)の前側に、前記保持部(40)の前側に係止し得ると共に先端面に六角形の操作孔(61)が形成されるボス状の係止部(58)と、指先を掛けて回動操作をなすことが可能な操作部(59)と、前記遊技盤(D)の係合部(32)前側に弾性的に係合し得る係合部(60)とを一体に形成し、
　前記操作部(59)は、前記軸部(56)の軸方向と直交方向に延在する摘み状を呈し、その長手方向の中央端面に前記操作孔(61)の一部をなす凹部が形成され、該中央端面と前記係止部(58)の円筒面とが連設されていることを特徴とする。
【００１０】
　　〔作用〕
　遊技盤の取付けにおいては、前枠前面のガラス扉を開放したもとで、前枠における枠体の窓口からセット保持枠のセット口へ遊技盤を収納セットすることで、該遊技盤はセット口内に起立状態で収容保持される。そして、セット口内の所要位置に配設された各施錠装置における施錠具の操作部に指先を掛けて、該施錠具を所定方向へ回動操作することにより施錠位置に変位し、係合部が遊技盤に弾性的に係合して該遊技盤を弾性的に固定化保持し得る。一方、遊技盤の取外しにおいては、遊技盤の施錠状態にある各施錠具の操作部に指先を掛けて、夫々の施錠具を前とは反対方向へ回動操作することにより、遊技盤に対する各施錠具の係合部の係合が解除され、遊技盤をセット口から取出すことができる。このように、遊技盤の施錠,解錠をなす施錠具が、一切の回動操作器具等を使用せずに指先操作のみで簡単かつ容易になされ、遊技盤着脱に係る作業の合理化および容易化が図られる。また、施錠具の係止部に形成した操作孔に対応の回動操作器具を係合して、該操作器具で施錠具を回動操作することで、遊技盤の施錠,解錠を行なうことも可能である。
【発明の効果】
【００１１】
　請求項１および請求項２の発明に係るパチンコ遊技機における遊技盤用の施錠装置によれば、前枠の前面側における簡単な手順操作により、遊技盤を手早く容易に着脱することができる。そして、遊技盤の着脱にあたり、各施錠装置における施錠具では、操作部に対して指先を掛けて回動操作をなすことが可能であり、特別な回動操作器具(工具)を一切使用せずに遊技盤の施錠および解錠を行なうことができるから、遊技盤の着脱作業が極めて簡単で迅速になし得る有益な効果を奏する。なお、施錠具の係止部に形成した操作孔に対応の回動操作器具を係合して、該操作器具で施錠具を回動操作することで、遊技盤の施錠,解錠を行なうことも可能である。
【発明を実施するための最良の形態】
【００１２】
　次に本発明に係るパチンコ遊技機における遊技盤用の施錠装置につき、好適な実施例を挙げて、添付図面を参照しながら以下詳細に説明する。なお本実施例では、パチンコ遊技機として、前枠の窓枠口内部にパチンコ球用の遊技盤がセットされた一般的なパチンコ機の場合を主に示す。
【実施例】
【００１３】
(パチンコ機の概略説明)
　本実施例のパチンコ機Ｐは、その基本的構成の概要として図１に略示するように、縦長方形の外枠Ａの開口前面側に、各種の遊技用構成部材をセットする縦長方形の前枠Ｂが連結支持手段および施錠手段を利用して開閉および着脱が可能に組付けられている。そしてこの前枠Ｂの前面側に、遊技盤Ｄの透視保護窓である後述のガラス窓Ｃと、上の球受け皿Ｅとが個々の連結支持手段等を利用して共に横開き形態で開閉可能に組付け整合される一方、前枠Ｂの下部に下の球受け皿Ｆおよび打球発射装置Ｇにおける打球操作部Ｇ1等が装着セットされ、また前枠Ｂの裏側に各種の球経路および球処理・払出部等を備えた機構セット盤(図示せず)がセットされている。
【００１４】
(前枠)
　前記前枠Ｂは、図２に示すように全体が合成樹脂成形されたものが例示され、前記外枠Ａの開口前面域に整合する外形サイズに成形されて内側に正面縦長方形の窓枠口(窓口)１１を開口した枠体１０と、この枠体１０の裏側に一体成形されて前記窓枠口１１の正面内部に臨む遊技盤用のセット口１３を開口したセット保持枠１２とが、前後に連設された内外二重枠形態とされている。そして前記枠体１０においては、窓枠口１１の下部に下の球受け皿Ｆや前記打球発射装置Ｇの打球発射部等を設置するための設置盤１４が成形される一方、その中央部に賞球用の給出口１５が開口され、また窓枠口１１の上縁部および右縁部に亘り電光装飾部１６を設置するための設置部１７が成形されている。また前記窓枠口１１は、前面側から出入れ(着脱)される遊技盤Ｄのセット面域および出入れ口ともされ、その下部開口面域内に上の球受け皿Ｅを開閉可能に組付けセットし得るようになっている。そして、窓枠口１１の開口前面の３周縁(上縁および左右の側縁)を凹設して、ガラス扉Ｃを整合収容し得るセット面域１８が画成されている。
【００１５】
　一方、前記セット保持枠１２においては、窓枠口１１の下部内側において前記上の球受け皿Ｅに整合する位置に遊技補助盤２０が一体成形されており、この遊技補助盤２０の上端縁を基準にして前記セット口１３が開口されている。前記遊技補助盤２０には、その裏側にアウト路２１が形成される他に、賞球用の給出口２２および球回収路２３等が成形されると共に、スピーカ２４を内蔵した球受けケース２５および発射レール部材２６がセットされる(図１参照)。そして、前記セット口１３における内周４箇所の隅部には、略４５度に形成された斜状壁部２７がセット保持枠１２に一体的に形成されており、これら各斜状壁部２７には、後述するように、本実施例に係る施錠装置Ｈが設置される。また、このセット口１３の内周端面に、遊技盤Ｄに対する位置決め用の突座１９,１９が形成されている。
【００１６】
(遊技盤)
　遊技盤Ｄは、図１に示すように、セット保持枠１２における前記セット口１３内に適合する略正方形に成形されており、その前面に取着された略円形状の案内レール３０内に各種の図柄表示装置等の遊技部品や入賞装置等を配置して所要のゲームを展開し得る遊技領域３１が構成されている。また、上下および左右の各隅部は４５度に切除され、後述するように４箇所の各隅部近傍に、セット保持枠１２に配設した施錠装置Ｈの施錠具５５が係脱する係合受部(係合部)３２が形成されている(図５参照)。
【００１７】
(施錠装置)
　次に、前述のように構成されたパチンコ機Ｐにおいて、前枠Ｂにおける窓枠口１１裏側に位置するセット保持枠１２のセット口１３に対してセットした遊技盤Ｄを、固定化保持するための遊技盤用の施錠装置につき説明する。本実施例に係る施錠装置Ｈは、セット口１３の各偶角部に形成した前記斜状壁部２７に夫々配設され、図３および図４に示すように、各斜状壁部２７に設けられた保持部４０と、この保持部４０に対して着脱可能に嵌合セットされ、かつ回動可能に支持される施錠具５５とを備えている。
【００１８】
(保持部)
　前記保持部４０は、前記斜状壁部２７のセット口１３内方へ臨む４５度の傾斜端部２８に一体的に形成され、該セット口１３内に収容セットされた前記遊技盤Ｄにおける係合受部３２の裏側を係止し得る係止部４１と、前記施錠具５５を装着する軸孔口部４２とを有している。前記係止部４１は、夫々の斜状壁部２７の後端側に位置する円形の保持片４３と、傾斜端部２８上において保持片４３の前側に位置する軸支部４４とからなり、前後２段連設状態に形成されている。そして保持片４３の後側には、施錠具５５の回動支盤５７に対する有底円形状の嵌合座部４５が形成されている。一方前記軸孔口部４２は、前記保持片４３と軸支部４４間に亘りセット口１３の前後方向に延在する軸孔４６と、この軸孔４６からセット口１３の内方(傾斜端部２８に対して鉛直方向)へ開口した挿入口４７とにより正面Ｕ形に形成され、この挿入口４７を介して前記施錠具５５が係止部４１へ装着セットされる。
【００１９】
　また斜状壁部２７の前面には、施錠具５５の解錠端位置を規制するための規制部４８が、該壁部２７に一体成形されている。この規制部４８は、前記軸孔口部４２の中心を基準にして円弧状に突出しており、施錠具５５における係合部６０に形成した係合突起６２に対する案内壁部４９と案内斜面５０および位置決め用の係合凹部５１が形成されている。
【００２０】
(施錠具)
　前記施錠具５５は、実施に供される４個の全てが合成樹脂成形製であり、図３,図４および図６に示すように、同一共通の形式に構成されている。すなわち各々の施錠具５５は、基本的な構成として、前記軸孔口部４２に回動可能に嵌合支持される軸部５６の後側に、前記係止部４１に支持される回動支盤５７を一体に形成すると共に、軸部５６の前側に、保持部４０の前側に係止し得る係止部５８と、指先操作可能な操作部５９と、前記遊技盤Ｄの係合受部３２前側に弾性的に係合し得る係合部６０とを一体的に形成している。
【００２１】
　前記軸部５６は、セット口１３の深さおよび遊技盤Ｄの厚みと略同等の軸長に設定され、その前後中央部が適宜小径となっている。また係止部５８は、前記軸部５６よりも大径のボス状を呈しており、その先端面に六角形の操作孔６１が形成されており、図示しない六角レンチ等の回動操作器具を挿入して係合し得るようになっている。また操作部５９は、前記軸部５６の軸方向と直交方向に延在する摘み状を呈し、図３または図８に示す如く、その長手方向の中央端面に前記操作孔６１の一部をなす凹部が形成されると共に、該中央端面と前記係止部５８の円筒面とが連設されている。更に前記係合部６０は、前記操作部５９において、前記係止部５８に連接した端面とは反対の端面に形成され、その中央部に前記回動支盤５７側へ突出した係合突起６２を有している。
【００２２】
(遊技盤の係合部)
　前記遊技盤Ｄにおける各々の係合受部３２については、図５に示すように、該遊技盤Ｄの各斜状隅部３３に凹状成形部３４が形成される一方、同成形部３４の前面に係合保持部材３７が取着されている。そして凹状成形部３４では、前記保持部４０の保持片４３に対する係止座口３５と、軸支部４４に対する逃し口３６とが形成されている。また係合保持部材３７は、例えば単体として合成樹脂成形され、逃し口３６の開口前面に位置を合わせてビス着されており、その前面には、前記施錠具５５の前記係合突起６２に対する案内斜面３８および位置決め用の係合凹部３９が形成されている。なお、係合受部３２に対して係合保持部材３７は、該保持部材３７に突設したピンを、係合受部３２に対応して穿設した孔部に嵌入することで取付けるようにしてもよい。
【００２３】
　このように構成された本実施例の施錠装置Ｈでは、前記施錠具５５を対応の保持部４０に予め回動可能に定置セットされるものであり、この定置セットに係る態様について、図７〜図９を参照しながら説明する。すなわち、先ず図７に示すように、係止部５８および操作部５９を前向きにし、かつ係合部６０をセット口１３の中心部方向(軸孔口部４２から離間する側)に位置させたもとで、軸部５６を軸孔口部４２の挿入口４７から軸孔４６内に挿入して適宜押込む。これにより初期の段階では、図８に示すように、施錠具５５全体が、保持部４０に対して若干傾いた状態に嵌合され、軸部５６が軸孔口部４２における挿入口４７および軸孔４６内に斜状に嵌挿される。
【００２４】
　次いで、斜状に挿入された施錠具５５が、図８中の矢印方向から押込まれることにより、図９に示すように、保持部４０に本嵌めセットされる。この状態においては、前記回動支盤５７が嵌合座部４５に整合され、軸部５６が軸孔口部４２の軸孔４６に嵌挿支持される。また、操作部５９が斜状壁部２７の前面に係合位置されると共に、係合部６０がセット口１３の中央側を指向している。
【００２５】
　そして、本嵌めセット完了後においては、操作部５９に指を掛けて、施錠具５５を図７における反時計方向へ回動操作する。これにより施錠具５５全体は、軸孔４６に整合した軸部５６および嵌合座部４５に整合した回動支盤５７を回動支点として、図９に示すように反転する。これに伴い、係合部６０が斜状壁部２７の前面側に変移される過程において、係合突起６２が規制部４８の案内壁部４９および案内斜面５０に沿って移動し、係合凹部５１に突入係止する。これにより施錠具５５は、回動が制止されて解錠位置に待機した状態に定置セットされる。
【００２６】
　なお各施錠装置Ｈにおいては、施錠具５５の定置セットにあたり、係合部６０の係合突起６２が案内斜面５０上を移行する間、適度に弾性変形するようになっている。そして係合突起６２が、案内斜面５０との係合が解除されて係合凹部５１に突入した時点で解錠端として位置決め制止するので、保持部４０に対する施錠具５５の回動操作量(解錠角度範囲)および解錠終端点が自ずと決定される。ちなみに全ての施錠具５５は、同一方向へ回動操作される。
【００２７】
　　〔実施例の作用〕
　前述の如く構成された本実施例のパチンコ機Ｐでは、前枠Ｂに対する遊技盤Ｄの着脱について、ガラス扉Ｃを開放した前枠Ｂの前面側において、必要な操作を行なうことにより容易になし得るものである。そこで、セット口１３に対する遊技盤Ｄの着脱態様と、着脱における操作手順につき説明する。
【００２８】
(施錠具のセット)
　本実施例のパチンコ機Ｐでは、セット口１３の上下,左右の各偶各部に形成した斜状壁部２７に夫々施錠装置Ｈが配設されており、夫々の施錠装置Ｈでは、遊技盤Ｄの設置に先立ち、前述した如く、保持部４０に施錠具５５を定置セットしておく。
【００２９】
(遊技盤のセット)
　遊技盤Ｄは、前記ガラス扉Ｃおよび上の球受け皿Ｅを共に全開したもとで、前枠Ｂにおける枠体１０の窓枠口１１からセット保持枠１２のセット口１３内にセットする。これにより遊技盤Ｄは、夫々の突座１９,１９によって遊技補助盤２０を基準として位置決めされると共に、夫々の係合受部３２の係止座口３５と保持部４０の保持片４３とが当接係合し、これにより起立状態で収容保持される。
【００３０】
　次に、各施錠装置Ｈの施錠具５５を、操作部５９に指先を掛けたもとで、時計方向(図９において)へ回動操作する。これにより各施錠具５５では、前述した図９の解錠位置から図１０に示す施錠位置に反転され、該施錠具５５の係合部６０が遊技盤Ｄの係合受部３２における係合保持部材３７の前面側に変移する過程で、係合突起６２は、案内斜面３８上を移動した後、最終的に係合凹部３９に突入係合する。そして、係合突起６２が係合凹部３９に係合すると、施錠具５５は回動が制止されて施錠位置に保持される。
【００３１】
　なお各施錠装置Ｈにおいては、施錠具５５の施錠操作にあたり、係合部６０の係合突起６２が案内斜面３８上を移行する間、適度に弾性変形するようになっている。そして係合突起６２が、案内斜面３８との係合が解除されて係合凹部３９に突入した時点で施錠端として位置決め制止するので、保持部４０に対する施錠具５５の施錠回動操作量および解錠終端点が自ずと決定される。
【００３２】
　そして、全ての施錠装置Ｈにおける施錠具５５が、回動操作により施錠位置に保持されると、遊技盤Ｄはセット保持枠１２のセット口１３内に適正姿勢で固定保持される。殊に、各施錠具５５では、保持部４０の保持片４３と遊技盤Ｄの係止座口３５とが整合当接した前提で、遊技盤Ｄの係合保持部材３７に対して係合部６０が適宜の弾性変形を伴って当接係合するようになり、遊技盤Ｄに対して適度の緊締力を作用させることになる。このため遊技盤Ｄは、常時この緊締力を受けて強固に保持され、振動や衝撃等に対して常に安定した状態で固定化保持される。
【００３３】
(遊技盤の取外し)
　遊技盤Ｄの取外しに際しては、各施錠装置Ｈにおいて、施錠具５５の操作部５９に指先を掛け、図１０において反時計方向へ回動操作することにより、当該の施錠具５５が図９に示す解錠位置に反転保持されて、対応する遊技盤Ｄの係合受部３２を解放する。そして、全ての施錠装置Ｈにおける施錠具５５が解錠位置に保持されることで、遊技盤Ｄはその全体が解錠された状態とされ、単に操作前方側に引出すことによりセット口１３から起立状態のまま取出すことができ、枠体１０の窓枠口１１を介してパチンコ機Ｐの前面側に取外すことができる。
【００３４】
　このように本実施例に係る遊技盤用の施錠装置Ｈでは、前枠Ｂの前面側における簡単な手順操作により、遊技盤Ｄを手早く容易に着脱することができる。そして、遊技盤Ｄの着脱にあたり、各施錠装置Ｈにおける施錠具５５では、操作部５９に対して指先を掛けて回動操作をなすことが可能であり、特別な回動操作器具(工具)を一切使用せずに遊技盤Ｄの施錠および解錠を行なうことができるから、遊技盤Ｄの着脱作業が極めて簡単で迅速になし得る。
【００３５】
　なお、本実施例の施錠装置Ｈでは、施錠具５５の係止部５８に形成した操作孔６１に対応の回動操作器具(図示せず)を係合して、従来の施錠装置と同様に、該回動操作器具で施錠具５５を回動操作することで遊技盤Ｄの施錠または解錠を行なうことも可能である。
【００３６】
　また、本発明に係る遊技盤用の施錠装置が実施可能なパチンコ遊技機は、前記実施例に示した形態のパチンコ機、即ちセット保持枠１２が前枠Ｂに一体成形されたパチンコ機に限定されるものではなく、セット保持枠１２が前枠Ｂとは別体に合成樹脂成形されて、該前枠Ｂに後付けされる形式のものであっても好適に実施し得る。また、施錠具５５に関しても、前記実施例に例示した形状のものに限定されるものではない。
【図面の簡単な説明】
【００３７】
【図１】本発明に係る遊技盤用の施錠装置が実施されるパチンコ機を略示する正面図である。
【図２】図１のパチンコ機を構成する前枠の正面図である。
【図３】本実施例の施錠装置を構成する保持部および施錠具を前側から見た斜視図である。
【図４】本実施例の施錠装置を構成する保持部および施錠具を後側から見た斜視図である。
【図５】遊技盤の係合受部を前側から見た斜視図である。
【図６】施錠具を一部破断して示す背面図である。
【図７】保持部に対する施錠具の組付態様を例示する正面図であって、施錠具を保持部に組付ける前の状態を示している。
【図８】保持部に対する施錠具の組付態様を例示する平断面図であって、施錠具を保持部に仮嵌めセットした状態を示している。
【図９】保持部に対する施錠具の組付態様を例示する正面図であって、保持部にセットした施錠具を解錠位置に保持した状態を示している。
【図１０】施錠具による遊技盤の施錠保持状態を示す正面図である。
【図１１】施錠具による遊技盤の施錠保持状態を示す平断面図である。
【符号の説明】
【００３８】
　１１　窓枠口(窓口)
　１２　セット保持枠
　１３　セット口
　３２　係合受部(係合部)
　４０　保持部
　４１　係止部
　４２　軸孔口部
　５５　施錠具
　５６　軸部
　５７　回動支盤
　５８　係止部
　５９　操作部
　６０　係合部
　６１　操作孔
　６２　係合突起
　Ａ　外枠
　Ｂ　前枠
　Ｄ　遊技盤
【図１】
2004024908.tif 000003
【図２】
2004024908.tif 000004
【図３】
2004024908.tif 000005
【図４】
2004024908.tif 000006
【図５】
2004024908.tif 000007
【図６】
2004024908.tif 000008
【図７】
2004024908.tif 000009
【図８】
2004024908.tif 000010
【図９】
2004024908.tif 000011
【図１０】
2004024908.tif 000012
【図１１】
2004024908.tif 000013